(57)【要約】      （修正有）【課題】スライダーの弾性部材の使用寿命を延ばすスライダー組合せ構造を提供する。【解決手段】ベース部１０と、第１の側止め部と、第２の側止め部１２と、ベース部に設けられる台座部１３と、台座部に固定される固定部１５１と、固定部から延在する弾性部１５２と、弾性部から延在すると共にフック部材１４に当接する当接部１５３とを有する弾性部材１５と、台座部に移動可能に設けられると共に弾性部材の当接部に移動可能に接触し、一端に台座部の貫通式位置決め開口１３０を通過する位置決め部１４０を有するフック部材１４とを有するスライドユニット１と、フック部材と移動可能に相互に嵌合される摺動子とを備える。弾性部の厚さは固定部の厚さよりも小さいので、弾性率及び弾性力を増加させることに寄与する。【選択図】図７
0003211267.tif 000002
【実用新案登録請求の範囲】
【請求項１】
スライドユニット及び摺動子を備え、
前記スライドユニットは、ベース部、第１の側止め部、第２の側止め部、台座部、弾性部材及びフック部材を備え、
前記第１の側止め部及び第２の側止め部は、相互に対応しており、前記ベース部の二つの反対側端から上方にそれぞれ延びており、前記ベース部の先端部にそれぞれ接続され、
前記台座部は、前記第１の側止め部と前記第２の側止め部との間に位置する貫通式位置決め開口を有し、前記ベース部に設けられると共に前記ベース部の後端部に接続され、
前記弾性部材は、前記台座部に設けられると共に前記フック部材に弾性的に当接され、
前記弾性部材は、
前記台座部に固定される固定部と、
前記固定部から延在する弾性部と、
前記弾性部から延在すると共に、前記フック部材に当接する当接部と、
を有し、
前記フック部材は、前記台座部に移動可能に設けられると共に前記弾性部材の前記当接部に移動可能に接触し、
前記フック部材の一端は前記貫通式位置決め開口を通過する位置決め部とを有し、
前記摺動子は、前記フック部材と移動可能に相互に嵌合され、
前記弾性部の厚さは前記固定部の厚さよりも小さいことを特徴とするスライダー組合せ構造。
【請求項２】
前記固定部は、
前固定セグメントと、
前記弾性部に接続される後固定セグメントと、
前記前固定セグメントと前記後固定セグメントとの間に接続される中間固定セグメントと、
を有し、
前記後固定セグメントの幅は前記前固定セグメントの幅よりも小さく、
前記中間固定セグメントの幅は前記前固定セグメントから前記後固定セグメントに向けて次第に小さくなり、
前記後固定セグメントは、
前記中間固定セグメントに接続される第１の固定セグメントと、
前記第１の固定セグメントと前記弾性部との間に接続される第２の固定セグメントと、
を有し、
前記弾性部の厚さは前記後固定セグメントの前記第１の固定セグメントの厚さ及び前記第２の固定セグメントの厚さよりも小さく、
前記第２の固定セグメントの厚さは前記第１の固定セグメントから前記弾性部に向けて次第に小さくなることを特徴とする請求項１に記載のスライダー組合せ構造。
【請求項３】
前記固定部は、
前固定セグメントと、
前記弾性部に接続される後固定セグメントと、
前記前固定セグメントと前記後固定セグメントとの間に接続される中間固定セグメントと、
を有し、
前記後固定セグメントの幅は前記前固定セグメントの幅よりも小さく、
前記中間固定セグメントの幅は前記前固定セグメントから前記後固定セグメントに向けて次第に小さくなり、
前記台座部は、
前記前固定セグメントを固定するための前固着セグメントと、
前記後固定セグメントを固定するための後固着セグメントと、
前記前固着セグメントと前記後固着セグメントとの間に接続され、前記中間固定セグメントを固定するための中間固着セグメントと、
を有し、
前記後固着セグメントの幅は前記前固着セグメントの幅よりも小さく、
前記中間固着セグメントの幅は前記前固着セグメントから前記後固着セグメントに向けて次第に小さくなり、
前記台座部の外表面は、内部へ窪む少なくとも一つの凹陥空間を有し、
前記台座部の内表面は、少なくとも一つの前記凹陥空間に隣接して前記凹陥空間に対応する少なくとも一つの突出体を有し、
少なくとも一つの前記凹陥空間と少なくとも一つの前記突出体は、前記固定部の前記後固定セグメントに設けられ、
前記フック部材の他端は固着部を有し、
前記フック部材の前記固着部が前記固着部を介して前記台座部の収容凹溝内に位置を制限され、
前記当接部の幅は前記弾性部の幅よりも大きく、
前記当接部と前記フック部材との間の接触面積を増加させるように、前記当接部の端部は前記フック部材にスライド可能に接触する傾斜フリップ角を有することを特徴とする請求項１に記載のスライダー組合せ構造。
【請求項４】
スライドユニットの台座部に設けられると共に、前記台座部に移動可能に設けられるフック部材に弾性的に当接される弾性部材であって、
前記台座部に固定される固定部と、
前記固定部から延在する弾性部と、
前記弾性部から延在すると共に、前記フック部材に当接する当接部と、
を備え、
前記弾性部の厚さは前記固定部の厚さよりも小さいことを特徴とする弾性部材。
【請求項５】
前記固定部は、
前固定セグメントと、
前記弾性部に接続される後固定セグメントと、
前記前固定セグメントと前記後固定セグメントとの間に接続される中間固定セグメントと、
を有し、
前記後固定セグメントの幅は前記前固定セグメントの幅よりも小さく、
前記中間固定セグメントの幅は前記前固定セグメントから前記後固定セグメントに向けて次第に小さくなり、
前記後固定セグメントは、
前記中間固定セグメントに接続される第１の固定セグメントと、
前記第１の固定セグメントと前記弾性部との間に接続される第２の固定セグメントと、
を有し、
前記弾性部の厚さは前記後固定セグメントの前記第１の固定セグメントの厚さ及び前記第２の固定セグメントの厚さよりも小さく、
前記第２の固定セグメントの厚さは前記第１の固定セグメントから前記弾性部に向けて次第に小さくなることを特徴とする請求項４に記載の弾性部材。
【請求項６】
前記固定部は、
前固定セグメントと、
前記弾性部に接続される後固定セグメントと、
前記前固定セグメントと前記後固定セグメントとの間に接続される中間固定セグメントと、
を有し、
前記後固定セグメントの幅は前記前固定セグメントの幅よりも小さく、
前記中間固定セグメントの幅は前記前固定セグメントから前記後固定セグメントに向けて次第に小さくなり、
前記台座部は、
前記前固定セグメントを固定するための前固着セグメントと、
前記後固定セグメントを固定するための後固着セグメントと、
前記前固着セグメントと前記後固着セグメントとの間に接続され、前記中間固定セグメントを固定するための中間固着セグメントと、
を有し、
前記後固着セグメントの幅は前記前固着セグメントの幅よりも小さく、
前記中間固着セグメントの幅は前記前固着セグメントから前記後固着セグメントに向けて次第に小さくなり、
前記台座部の外表面は、内部へ窪む少なくとも一つの凹陥空間を有し、
前記台座部の内表面は、少なくとも一つの前記凹陥空間に隣接して前記凹陥空間に対応する少なくとも一つの突出体を有し、
少なくとも一つの前記凹陥空間と少なくとも一つの前記突出体は、前記固定部の前記後固定セグメントに設けられ、
前記フック部材の他端は固着部を有し、
前記フック部材の前記突出体が前記固着部を介して前記台座部の収容凹溝内に位置を制限され、
前記当接部の幅は前記弾性部の幅よりも大きく、
前記当接部と前記フック部材との間の接触面積を増加させるように、前記当接部の端部は前記フック部材にスライド可能に接触する傾斜フリップ角を有することを特徴とする請求項４に記載の弾性部材。
【請求項７】
スライドユニット及び摺動子を備え、
前記スライドユニットは、ベース部、第１の側止め部、第２の側止め部、台座部、弾性部材及びフック部材を備え、
前記第１の側止め部及び第２の側止め部は、前記ベース部の二つの反対側端から上方にそれぞれ延在し、
前記台座部は、前記ベース部に設けられ、貫通式位置決め開口を有し、
前記弾性部材は、
前記台座部に固定される固定部と、
前記固定部から延在する弾性部と、
前記弾性部から延在すると共に、前記フック部材に当接する当接部と、
を有し、
前記フック部材は、前記台座部に移動可能に設けられると共に、前記弾性部材の前記当接部に移動可能に接触し、
前記フック部材の一端は前記貫通式位置決め開口を通過する位置決め部を有し、
前記摺動子は前記フック部材と移動可能に相互に嵌合され、
前記台座部の外表面は、内部へ窪む少なくとも一つの凹陥空間を有し、
前記台座部の内表面は、少なくとも一つの前記凹陥空間に隣接して前記凹陥空間に対応する少なくとも一つの突出体を有し、
前記フック部材の他端は前記突出体によって位置を制限される固着部を有することを特徴とするスライダー組合せ構造。
【請求項８】
前記弾性部の弾性率及び弾性力を増加させるように、前記弾性部の厚さは前記固定部の厚さよりも小さく、
前記固定部は、
前固定セグメントと、
前記弾性部に接続される後固定セグメントと、
前記前固定セグメントと前記後固定セグメントとの間に接続される中間固定セグメントと、
を有し、
前記後固定セグメントの幅は前記前固定セグメントの幅よりも小さく、
前記中間固定セグメントの幅は前記前固定セグメントから前記後固定セグメントに向けて次第に小さくなり、
前記後固定セグメントは、
前記中間固定セグメントに接続される第１の固定セグメントと、
前記第１の固定セグメントと前記弾性部との間に接続される第２の固定セグメントと、
を有し、
前記弾性部の厚さは前記後固定セグメントの前記第１の固定セグメントの厚さ及び前記第２の固定セグメントの厚さよりも小さく、
前記第２の固定セグメントの厚さは前記第１の固定セグメントから前記弾性部に向けて次第に小さくなることを特徴とする請求項７に記載のスライダー組合せ構造。
【請求項９】
前記固定部は、
前固定セグメントと、
前記弾性部に接続される後固定セグメントと、
前記前固定セグメントと前記後固定セグメントとの間に接続される中間固定セグメントと、
を有し、
前記後固定セグメントの幅は前記前固定セグメントの幅よりも小さく、
前記中間固定セグメントの幅は前記前固定セグメントから前記後固定セグメントに向けて次第に小さくなり、
前記台座部は、
前記前固定セグメントを固定するための前固着セグメントと、
前記後固定セグメントを固定するための後固着セグメントと、
前記前固着セグメントと前記後固着セグメントとの間に接続され、前記中間固定セグメントを固定するための中間固着セグメントと、
を有し、
前記後固着セグメントの幅は前記前固着セグメントの幅よりも小さく、
前記中間固着セグメントの幅は前記前固着セグメントから前記後固着セグメントに向けて次第に小さくなり、
少なくとも一つの前記凹陥空間と少なくとも一つの前記突出体は、前記固定部の前記後固定セグメントに設けられ、
前記固着部が前記台座部の収容凹溝内に位置を制限され、
前記当接部の幅は前記弾性部の幅よりも大きく、
前記当接部と前記フック部材との間の接触面積を増加させるように、前記当接部の端部は前記フック部材にスライド可能に接触する傾斜フリップ角を有することを特徴とする請求項７に記載のスライダー組合せ構造。
【請求項１０】
第１の務歯キャリアと前記第１の務歯キャリアに固定される複数の第１の務歯とを備える第１の務歯テープと、第２の務歯キャリアと前記第２の務歯キャリアに固定される複数の第２の務歯を備えると共に前記複数の第１の務歯と相互に嵌合される第２の務歯テープとを有する務歯構造に設けられることによって、前記第１の務歯と二つの前記第２の務歯との間に前記フック部材の前記位置決め部が挿入される隙間を形成するように一つの前記第１の務歯が二つの前記第２の務歯の間に係止されることを特徴とする請求項７に記載のスライダー組合せ構造。
【考案の詳細な説明】
【技術分野】
【０００１】
本考案は組合せ構造及びその弾性部材に関し、特にスライダー組合せ構造及びその弾性部材に関する。
【背景技術】
【０００２】
通常の衣服の基本噛合エレメントはボタン又はファスナー構造を用いるに過ぎない。ボタンに比べ、ファスナー構造を用いることはより良い使用性及び堅固な構造特性を有する。通常のファスナー構造は、スライダーとファスナーテープとを有する。スライダーは主としてファスナーテープに係合されファスナー構造による往復引張りの連結エレメントとされることで、ファスナー構造を服飾及びアクセサリーに用いることがさらに普及しつつある。しかし、従来技術のファスナー構造のスライダー、弾性部材及びフック部材は単独でも、又は２つずつでも、係合においてはまだ改善の空間がある。
【考案の概要】
【考案が解決しようとする課題】
【０００３】
本考案が解決しようとする技術問題は、従来技術のデメリットについてスライダー組合せ構造及びその弾性部材を提供することにある。
【課題を解決するための手段】
【０００４】
上記の技術問題を解決するために、本考案に係るスライダー組合せ構造はスライドユニット及び摺動子を備える。前記スライドユニットは、ベース部、第１の側止め部、第２の側止め部、台座部、弾性部材及びフック部材を備える。前記第１の側止め部及び第２の側止め部は相互に対応する。前記第１の側止め部及び第２の側止め部は、前記ベース部の二つの反対側端から上方にそれぞれ延びる。前記第１の側止め部及び第２の側止め部は前記ベース部の先端部にそれぞれ接続される。前記台座部は、前記第１の側止め部と前記第２の側止め部との間に位置する貫通式位置決め開口を有する。前記台座部は、前記ベース部に設けられると共に前記ベース部の後端部に接続される。前記弾性部材は、前記台座部に設けられると共に前記フック部材に弾性的に当接される。前記弾性部材は、前記台座部に固定される固定部と、前記固定部から延在する弾性部と、前記弾性部から延在すると共に、前記フック部材に当接する当接部と、を有する。前記フック部材は、前記台座部に移動可能に設けられると共に前記弾性部材の前記当接部に移動可能に接触する。前記フック部材の一端は前記貫通式位置決め開口を通過する位置決め部とを有する。前記摺動子は、前記フック部材と移動可能に相互に嵌合される。前記弾性部の厚さは前記固定部の厚さよりも小さい。
【０００５】
上記の技術問題を解決するために、本考案の別の技術方案に係る弾性部材は、スライドユニットの台座部に設けられると共に、前記台座部に移動可能に設けられるフック部材に弾性的に当接される。前記弾性部材は、前記台座部に固定される固定部と、前記固定部から延在する弾性部と、前記弾性部から延在すると共に、前記フック部材に当接する当接部と、を備える。前記弾性部の厚さは前記固定部の厚さよりも小さい。
【０００６】
上記の技術問題を解決するために、本考案の別の技術方案に係るスライダー組合せ構造はスライドユニット及び摺動子を備える。前記スライドユニットは、ベース部、第１の側止め部、第２の側止め部、台座部、弾性部材及びフック部材を備える。前記第１の側止め部及び第２の側止め部は、前記ベース部の二つの反対側端から上方にそれぞれ延在する。前記台座部は、前記ベース部に設けられ、貫通式位置決め開口を有する。前記弾性部材は、前記台座部に固定される固定部と、前記固定部から延在する弾性部と、前記弾性部から延在すると共に、前記フック部材に当接する当接部と、を有する。前記フック部材は、前記台座部に移動可能に設けられると共に、前記弾性部材の前記当接部に移動可能に接触する。前記フック部材の一端は前記貫通式位置決め開口を通過する位置決め部を有する。前記摺動子は前記フック部材と移動可能に相互に嵌合される。前記台座部の外表面は内部へ窪む少なくとも一つの凹陥空間を有する。前記台座部の内表面は少なくとも一つの前記凹陥空間に隣接して前記凹陥空間に対応する少なくとも一つの突出体を有する。前記フック部材の他端は前記突出体によって位置を制限される固着部を有する。
【考案の効果】
【０００７】
本考案に係るスライダー組合せ構造及びその弾性部材は、「前記弾性部材は、前記台座部に固定される固定部と、前記固定部から延在する弾性部と、前記弾性部から延在すると共に、前記フック部材に当接する当接部とを有する」という技術特徴及び「前記弾性部の厚さは前記固定部の厚さよりも小さい」という技術特徴により、前記弾性部の弾性率及び弾性力を増加させることができる。それにより、前記弾性部に弾性疲労あるいは塑性変形が生じることを回避し、前記弾性部材の使用寿命を効率的に延ばすことができる。
【０００８】
なお、本考案に係るスライダー組合せ構造及びその弾性部材は、「前記台座部の外表面は内部へ窪む少なくとも一つの凹陥空間を有し、前記台座部の内表面は少なくとも一つの前記凹陥空間に隣接して前記凹陥空間に対応する少なくとも一つの突出体を有する」という技術特徴及び「前記フック部材の他端は前記突出体によって位置を制限される固着部を有する」という技術特徴により、前記フック部材の前記固着部が前記突出体の係止のため継続的に収容凹溝内に収容されるので、前記フック部材は前記固着部を回転軸として上へあるいは下へ移動することができる。
【図面の簡単な説明】
【０００９】
【図１】本考案のスライドユニット（弾性部材がまだ台座部の頂部によって係止されていない）の概略的分解斜視図である。
【図２】本考案のスライドユニットの概略的組合せ上面図である。
【図３】本考案のスライドユニットの弾性部材の概略的側面図である。
【図４】本考案のスライドユニットの弾性部材の概略的平面図である。
【図５】本考案のスライドユニットの弾性部材の概略的底面図である。
【図６】本考案のスライドユニット（弾性部材が台座部の頂部によって係止された）の概略的組合せ斜視図である。
【図７】図６のＶＩＩ−ＶＩＩ線に沿う概略的断面図である。
【図８】図６のＶＩＩＩ−ＶＩＩＩ線に沿う概略的断面図である。
【図９】本考案のスライドユニットの概略的正面図である。
【図１０】本考案のフック部材の概略的斜視図である。
【図１１】本考案のスライダー組合せ構造の概略的斜視図である。
【図１２】本考案のスライダー組合せ構造のフック部材が上方へ引張られる前の部分概略断面図である。
【図１３】本考案のスライダー組合せ構造のフック部材が上方へ引張られた後の部分概略断面図である。
【図１４】本考案のスライダー組合せ構造が務歯構造においてスライドする場合の概略的上面図である。
【図１５】本考案の位置決め部が隙間に挿入される場合の拡大模式図である。
【考案を実施するための形態】
【００１０】
本考案の特徴及び技術内容がより一層分かるように、以下本考案に関する詳細な説明と添付図面を参照する。しかし、提供される添付図面は参考と説明のために提供するものに過ぎず、本考案を制限するためのものではない。
【００１１】
以下には所定の具体的実施例を介して、本考案に開示される「スライダー組合せ構造及びその弾性部材」に関する実施の形態を説明し、当業者は本明細書に開示される内容から、本考案のメリットと効果を知ることが可能になる。本考案は、他の異なる具体的実施例を介して実施又は応用されてもよく、本明細書中の各詳細は異なる観点と応用に基づき、本考案の主旨を逸脱することなく種々の修飾と変更を行ってもよい。また、本考案の添付図面は簡単な概略的説明に過ぎず、実際のサイズに従い記述するものではないことを明らかにしておく。以下の実施の形態は、本考案の関連技術内容をより詳しく説明するが、開示される内容は本考案の実用新案登録請求の範囲を制限するためのものではない。以下の実施の形態に開示される各段落の内容は、図１乃至図１５を合わせて参照する。
【００１２】
図１乃至図１０を参照する。本考案に係るスライドユニット（スライダユニットとも言う）１は、ベース部１０と、第１の側止め部１１と、第２の側止め部１２と、台座部１３と、フック部材１４と、弾性部材１５とを備える。また、ベース部１０、第１の側止め部１１、第２の側止め部１２及び台座部１３はスライダーを構成する。
【００１３】
図１、図６と図７に示すように、第１の側止め部１１と第２の側止め部１２は、ベース部１０の二つの反対側端から上方にそれぞれ延びている。第１の側止め部１１と第２の側止め部１２は相互に対応する。第１の側止め部１１と第２の側止め部１２はベース部１０の先端部１０１にそれぞれ接続される。また、台座部１３はベース部１０に設けられる。詳しく説明すると、台座部１３はベース部１０の後端部１０２に接続される。また、台座部１３は第１の側止め部１１と第２の側止め部１２との間に位置する貫通式位置決め開口１３０を有する。なお、弾性部材１５は台座部１３に設けられる。また、弾性部材１５はフック部材１４に弾性的に当接される。なお、弾性部材１５は、台座部１３に固定される固定部１５１と、固定部１５１から延在する弾性部１５２と、弾性部１５２から延在すると共にフック部材１４に当接する当接部１５３とを有する。なお、フック部材１４は台座部１３に移動可能に設けられる。フック部材１４は弾性部材１５の当接部１５３に移動可能に接触する。フック部材１４の一端は貫通式位置決め開口１３０を通過する位置決め部１４０を有する。
【００１４】
なお、図３に示すように、弾性部１５２の弾性率及び弾性力を増加させるために、弾性部１５２の厚さｈ２は固定部１５１の厚さｈ１よりも小さい。それにより、弾性部１５２に弾性疲労あるいは塑性変形が生じることを回避し、弾性部材１５の使用寿命を効率的に延ばすことができる。また、図３、図５と図７に示すように、当接部１５３とフック部材１４との間の接触面積を増加させるように、当接部１５３の端部はフック部材１４にスライド可能に接触する傾斜フリップ角１５３０を有する。
【００１５】
さらには、図１、図４と図５に示すように、固定部１５１は、前固定セグメント１５１１と、弾性部１５２に接続される後固定セグメント１５１２と、前固定セグメント１５１１と後固定セグメント１５１２との間に接続される中間固定セグメント１５１３とを有する。図４を参照して弾性部材１５の幅を説明する。後固定セグメント１５１２の幅Ｗ１２は前固定セグメント１５１１の幅Ｗ１１よりも小さい。また、中間固定セグメント１５１３の幅Ｗ１３は前固定セグメント１５１１から後固定セグメント１５１２に向けて次第に小さくなる。図５に示すように、弾性部１５２の弾性率及び弾性力を増加させるために、弾性部１５２の幅Ｗ２は後固定セグメント１５１２の幅Ｗ１２よりも遥かに小さい。それにより、弾性部１５２に弾性疲労あるいは塑性変形が生じるすることを回避し、弾性部材１５の使用寿命を効率的に延ばすことができる。また、弾性部材１５とフック部材１４との間の接触面積を増加させるために、当接部１５３の幅Ｗ３は弾性部１５２の幅Ｗ２よりも大きい。
【００１６】
さらには、図１と図３に示すように、後固定セグメント１５１２は、中間固定セグメント１５１３に接続される第１の固定セグメント１５１２１と、第１の固定セグメント１５１２１と弾性部１５２との間に接続される第２の固定セグメント１５１２２とを有する。図３を参照して弾性部材１５の厚さを説明する。弾性部１５２の厚さｈ２は後固定セグメント１５１２の第１の固定セグメント１５１２１の厚さｈ１１と第２の固定セグメント１５１２２の厚さｈ１２よりも小さい。また、第２の固定セグメント１５１２２の厚さｈ１２は第１の固定セグメント１５１２１から弾性部１５２に向けて次第に小さくなる。また、弾性部１５２の厚さｈ２と当接部１５３の厚さｈ３はほぼ同様である。
【００１７】
さらには、図１と図２に示すように、台座部１３は、前固定セグメント１５１１を固定するための前固着セグメント１３０１と、後固定セグメント１５１２を固定するための後固着セグメント１３０２と、前固着セグメント１３０１と後固着セグメント１３０２との間に接続され、中間固定セグメント１５１３を固定するための中間固着セグメント１３０３とを有する。また、図２に示すように、後固着セグメント１３０２の幅Ｗ２'は前固着セグメント１３０１の幅Ｗ１'よりも小さい。また、図２に示すように、中間固着セグメント１３０３の幅Ｗ３'は前固着セグメント１３０１から後固着セグメント１３０２に向けて次第に小さくなる。中間固着セグメント１３０３の幅Ｗ３'と後固着セグメント１３０２の幅Ｗ２'は、前固着セグメント１３０１の幅Ｗ１'よりも小さいため、台座部１３と衣類との間の摩擦力を効率的に低減することができる。これにより、スライドユニット１と衣類とのスライド係合における滑らかさが向上する。
【００１８】
さらには、図６と図７に示すように、台座部１３の外表面１３００１は内部へ窪む少なくとも一つの凹陥空間１５１２３を有し、台座部１３の内表面１３００２は少なくとも一つの凹陥空間１５１２３に隣接して凹陥空間１５１２３に対応する少なくとも一つの突出体１５１２４を有する。また、少なくとも一つの凹陥空間１５１２３と少なくとも一つの突出体１５１２４は、固定部１５１の後固定セグメント１５１２に設けられる。フック部材１４の他端は突出体１５１２４によって位置を制限される固着部１４１を有する。なお、図７に示すように、突出体１５１２４と係止するために、フック部材１４の固着部１４１が収容凹溝１３１内に継続的に収容されるため、フック部材１４は固着部１４１を回転軸として上へ（図１３に示すように）あるいは下へ（図１２に示すように）移動する。
【００１９】
さらには、図８と図９に示すように、第１の側止め部１１は、第１の内表面１１１と、第１の内表面１１１と互いに反対に設けられる第１の外表面１１２とを有する。第２の側止め部１２は、第１の内表面１１１と互いに対応する第２の内表面１２１と、第２の内表面１２１と互いに反対に設けられる第２の外表面１２２とを有する。また、第１の側止め部１１の第１の内表面１１１と第１の外表面１１２との間の第１の厚さＨ１は、第２の側止め部１２の第２の内表面１２１と第２の外表面１２２との間の第２の厚さＨ２よりも小さい。例えば、第１の側止め部１１の第１の内表面１１１は、第１の主要内表面１１１１と、第１の副次的内表面１１１２に分けられる。第２の側止め部１２の第２の内表面１２１は、第１の主要内表面１１１１と対向する第２の主要内表面１２１１と、第１の副次的内表面１１１２と対向する第２の副次的内表面１２１２に分けられる。また、第１の側止め部１１の第１の主要内表面１１１１と第１の外表面１１２との間の第１の主要厚さＨ１１は、第２の側止め部１２の第２の主要内表面１２１１と第２の外表面１２２との間の第２の主要厚さＨ２１よりも小さい。第１の側止め部１１の第１の副次的内表面１１１２と第１の外表面１１２との間の第１の副次的厚さＨ１２は、第２の側止め部１２の第２の副次的内表面１２１２と第２の外表面１２２との間の第２の副次的厚さＨ２２よりも小さい。
【００２０】
さらには、図８と図９に示すように、ベース部１０には、第１の対称中心線Ｌ１を有する。台座部１３は、第２の対称中心線Ｌ２を有する。第１の対称中心線Ｌ１は、貫通式位置決め開口１３０の幾何学的中心点Ｐを通過する（図８に示すように）。台座部１３の第２の対称中心線Ｌ２は、第１の対称中心線Ｌ１と対向するように、第２の側止め部１２から第１の側止め部１１に向ける水平方向に沿い、所定水平シフト量Ｓを水平シフトさせる。例えば、台座部１３の第２の対称中心線Ｌ２の第１の対称中心線Ｌ１に対する所定水平シフト量Ｓは、以下の関係式に適合してもよい。
Ｓ＝（Ｈ２−Ｈ１）／２
ただし、Ｓは所定水平シフト量であり、Ｈ１は第１の厚さであり、Ｈ２は第２の厚さである。
【００２１】
なお、図８又は図９に示すように、第１の対称中心線Ｌ１を対称基準線とすれば、第１の側止め部１１の第１の外表面１１２と第２の側止め部１２の第２の外表面１２２は、第１の対称中心線Ｌ１の二つの対向端に対称的に設けられる。また、第２の対称中心線Ｌ２を対称基準線とすれば、第１の側止め部１１の第１の内表面１１１の第１の主要内表面１１１１と第２の側止め部１２の第２の内表面１２１の第２の主要内表面１２１１は、第２の対称中心線Ｌ２の二つの対向端に対称的に設けられる。あるいは、第１の側止め部１１の第１の内表面１１１の第１の副次的内表面１１１２と第２の側止め部１２の第２の内表面１２１の第２の副次的内表面１２１２は、第２の対称中心線Ｌ２の二つの対向端に対称的に設けられる。なお、図８、図９と図１０に示すように、フック部材１４の位置決め部１４０の一方の側面が、水平方向と逆である反対方向に沿って窪みを形成する逃がしエッジトリム１４００を有することで、位置決め部１４０が第２の対称中心線Ｌ２からずれて第１の対称中心線Ｌ１に近接する（図９参照）。
【００２２】
図１１乃至図１５を参照する。本考案はスライドユニット１と摺動子（引手とも言う）２とを備えるスライダー組合せ構造Ｚを更に提供する。スライダー組合せ構造Ｚは、相互に嵌合される第１の務歯テープ３１と第２の務歯テープ３２とを有する務歯構造３（ファスナーテープとも言う）に設けられる。
【００２３】
図１、図１１と図１４に示すように、第１の側止め部１１と第２の側止め部１２は、ベース部１０の二つの反対側端から上方にそれぞれ延びている。第１の側止め部１１と第２の側止め部１２は相互に対応する。第１の側止め部１１と第２の側止め部１２はベース部１０の先端部１０１にそれぞれ接続される。また、台座部１３はベース部１０に設けられる。詳しく説明すると、台座部１３はベース部１０の後端部１０２に接続される。台座部１３は、第１の側止め部１１と第２の側止め部１２との間に位置する貫通式位置決め開口１３０を有する。なお、弾性部材１５は台座部１３に設けられる。また、弾性部材１５はフック部材１４に弾性的に当接される。弾性部材１５は、台座部１３に固定される固定部１５１と、固定部１５１から延在する弾性部１５２と、弾性部１５２から延在すると共にフック部材１４に当接する当接部１５３とを有する。なお、フック部材１４は台座部１３に移動可能に設けられる。フック部材１４は弾性部材１５の当接部１５３に移動可能に接触する。フック部材１４の一端は貫通式位置決め開口１３０を通過する位置決め部１４０を有する。また、摺動子２はフック部材１４と移動可能に相互に嵌合される。例えば、摺動子２の一方の端部２０は、フック部材１４と移動可能に相互に嵌合される可動部品２１を有する。
【００２４】
さらには、図１４と図１５に示すように、第１の務歯テープ３１は、第１の務歯キャリア３１０と、第１の務歯キャリア３１０に固定される複数の第１の務歯３１１とを備える。第２の務歯テープ３２は、第２の務歯キャリア３２０と、第２の務歯キャリア３２０に固定される複数の第２の務歯３２１とを備える。また、図１５に示すように、各第１の務歯３１１は隣接する二つの第２の務歯３２１の間に係止される。一つの第１の務歯３１１が、二つの第２の務歯３２１間に係止され、第１の務歯３１１と二つの第２の務歯３２１との間に隙間ｇを形成する場合、隙間ｇには位置決め部１４０が挿入され得るため、スライダー組合せ構造Ｚは、位置決め部１４０と隙間ｇとの係合を介して、正確的に務歯構造３に位置決めされることが可能になる。
【００２５】
以上をまとめると、本考案に係るスライダー組合せ構造Ｚ及びその弾性部材１５は、「台座部１３に設けられる」及び「弾性部材１５が台座部１３内に設けられると共にフック部材１４間に位置する」という設計により、フック部材１４が台座部１３に移動可能に設けられると共に、弾性部材１５に移動可能に接触できる。
【００２６】
なお、本考案に係るスライダー組合せ構造Ｚ及びその弾性部材１は、「弾性部材１５は、直接フック部材１４に接触する１５１と、１５１に対向する１５２とを有する」及び「直接弾性部材１５の１５２に接触する１６１と、１６１に対向すると共にフック部材１４と互いに離間される１６２とを有する」という設計により、弾性部材１５が台座部１３内に強固に設けられると共にフック部材１４間に位置することができ、フック部材１４間から抜けにくくなる。
【００２７】
［実施例の効果］
本考案の効果は、本考案に係るスライダー組合せ構造Ｚ及びその弾性部材１５は、「弾性部材１５は、台座部１３に固定される固定部１５１と、固定部１５１から延在する弾性部１５２と、弾性部１５２から延在すると共にフック部材１４に当接する当接部１５３とを有する」という技術特徴及び「弾性部１５２の厚さｈ２は固定部１５１の厚さｈ１よりも小さい」という技術特徴により、弾性部１５２の弾性率及び弾性力を増加させることができる。それにより、弾性部１５２に弾性疲労あるいは塑性変形が生じることを回避し、弾性部材１５の使用寿命を効率的に延ばすことができる。
【００２８】
なお、本考案に係るスライダー組合せ構造Ｚ及びその弾性部材１５は、「台座部１３の外表面１３００１は内部へ窪む少なくとも一つの凹陥空間１５１２３を有し、内表面１３００２は少なくとも一つの凹陥空間１５１２３に隣接して凹陥空間１５１２３対応する少なくとも一つの突出体１５１２４を有する」という技術特徴及び「フック部材１４の他端は突出体１５１２４によって位置を制限される固着部１４１を有する」という技術特徴により、突出体１５１２４と係止するためにフック部材１４の固着部１４１が収容凹溝１３１内に継続的に収容されるため、フック部材１４は固着部１４１を回転軸として上へあるいは下へ移動することができる。
【００２９】
以上に開示される内容は本考案の好ましい実施可能な実施例に過ぎず、これにより本考案の実用新案登録請求の範囲を制限するものではないので、本考案の明細書及び添付図面の内容に基づき為された等価の技術変形は、すべて本考案の実用新案登録請求の範囲に含まれるものとする。
【符号の説明】
【００３０】
１    スライドユニット
１０    ベース部
１０１    先端部
１０２    後端部
１１    第１の側止め部
１１１    第１の内表面
１１１１    第１の主要内表面
１１１２    第１の副次的内表面
１１２    第１の外表面
１２    第２の側止め部
１２１    第２の内表面
１２１１    第２の主要内表面
１２１２    第２の副次的内表面
１２２    第２の外表面
１３    台座部
１３００１    外表面
１３００２    内表面
１３０１    前固着セグメント
１３０２    後固着セグメント
１３０３    中間固着セグメント
１３０    貫通式位置決め開口
１３１    収容凹溝
１４    フック部材
１４０    位置決め部
１４００    逃がしエッジトリム
１４１    固着部
１５    弾性部材
１５１    固定部
１５１１    前固定セグメント
１５１２    後固定セグメント
１５１２１    第１の固定セグメント
１５１２２    第２の固定セグメント
ｈ１２    厚さ
１５１２３    凹陥空間
１５１２４    突出体
１５１３    中間固定セグメント
１５２    弾性部
１５３    当接部
１５３０    傾斜フリップ角
２    摺動子
２０    端部
２１    可動部品
３    務歯構造
３１    第１の務歯テープ
３１０    第１の務歯キャリア
３１１    第１の務歯
３２    第２の務歯テープ
３２０    第２の務歯キャリア
３２１    第２の務歯
ｇ    隙間
ｈ１    厚さ
ｈ２    厚さ
ｈ３    厚さ
ｈ１１    厚さ
Ｈ１    第１の厚さ
Ｈ１１    第１の主要厚さ
Ｈ１２    第１の副次的厚さ
Ｈ２    第２の厚さ
Ｈ２１    第２の主要厚さ
Ｈ２２    第２の副次的厚さ
Ｌ１    第１の対称中心線
Ｌ２    第２の対称中心線
Ｐ    幾何学的中心点
Ｓ    所定水平シフト量
Ｗ１'    幅
Ｗ２    幅
Ｗ２'    幅
Ｗ３    幅
Ｗ３'    幅
Ｗ１１    幅
Ｗ１２    幅
Ｗ１３    幅
Ｚ    スライダー組合せ構造
【図１】
0003211267.tif 000003
【図２】
0003211267.tif 000004
【図３】
0003211267.tif 000005
【図４】
0003211267.tif 000006
【図５】
0003211267.tif 000007
【図６】
0003211267.tif 000008
【図７】
0003211267.tif 000009
【図８】
0003211267.tif 000010
【図９】
0003211267.tif 000011
【図１０】
0003211267.tif 000012
【図１１】
0003211267.tif 000013
【図１２】
0003211267.tif 000014
【図１３】
0003211267.tif 000015
【図１４】
0003211267.tif 000016
【図１５】
0003211267.tif 000017